(57)【特許請求の範囲】
【請求項１】
屈折率がホログラムの屈折率と略同じ斜面を有するプリズムを密着することで、プリズムの斜面を経て斜め方向から記録情報を目視することができる体積位相型ホログラムにおいて、ホログラム記録媒体中に記録された干渉縞からの回折光中の少なくとも可視光成分が空気とそのホログラム記録媒体あるいはその表面に積層された透明層との界面で全反射するように、干渉縞の傾きが設定されていることを特徴とする通常状態では記録情報が目視できないホログラム。
【請求項２】
前記体積位相型ホログラムが反射型として記録されたフィルム形状をしており、そのフィルム法線に対して干渉縞法線がなす角度をφ、前記ホログラム記録媒体又は前記透明層の臨界角をθCRとするとき、
φ＞θCR                                              ・・・（９）
若しくは、
φ＜−θCR                                          ・・・（１０）
の関係を満足することを特徴とする請求項１記載の通常状態では記録情報が目視できないホログラム。
【請求項３】
前記体積位相型ホログラムが透過型として記録されたフィルム形状をしており、そのフィルム法線に対して干渉縞法線がなす角度をφ、前記ホログラム記録媒体又は前記透明層の臨界角をθCRとするとき、
φ＜（π−２θCR）／２                                ・・・（９）’若しくは、
φ＞（２θCR−π）／２                              ・・・（１０）’の関係を満足することを特徴とする請求項１記載の通常状態では記録情報が目視できないホログラム。
【請求項４】
前記体積位相型ホログラムがフィルム形状をしており、そのフィルム法線に対して干渉縞法線がなす角度をφ、前記ホログラム記録媒体又は前記透明層の臨界角をθCRとするとき、
θCR＜φ＜（π−２θCR）／２                          ・・・（９）”若しくは、
（２θCR−π）／２＜φ＜−θCR                      ・・・（１０）”の関係を満足することを特徴とする請求項１記載の通常状態では記録情報が目視できないホログラム。
【請求項５】
前記体積位相型ホログラムが反射型として記録されたフィルム形状をしており、そのフィルム法線に対して干渉縞法線がなす角度をφ、干渉縞のピッチをｄ、前記ホログラム記録媒体又は前記透明層の臨界角をθCRとするとき、
−θCR＜φ＜θCR                                    ・・・（１２）
ｄ＞３５０／｛ｎ×ｃｏｓ（θCR−｜φ｜）｝  （ｎｍ）・・・（１４）
の関係を満足することを特徴とする請求項１記載の通常状態では記録情報が目視できないホログラム。
【請求項６】
透明液体を入れる容器の内壁面上に設けられたことを特徴とする請求項１から５の何れか１項記載の通常状態では記録情報が目視できないホログラム。
【発明の詳細な説明】
【０００１】
【発明の属する技術分野】
本発明は、通常状態では記録情報が目視できないホログラムに係り、特に、体積位相型ホログラムにおいて、回折格子面の傾き、格子間隔を所定の範囲に設定することにより、回折光が外に出ないかあるいは出ても目に見えない波長になるようにしたホログラムに関するものである。
【０００２】
【従来の技術】
従来から、ＣＤカード、プリペイドカード、定期券、通帳、パスポート、身分証明書、商品等が真実なもので偽造されたものでないことを保証するために、立体像、模様等を記録したレリーフホログラム又はリップマンホログラムからなるラベル、シール等を対象物に貼着することが広く行われている。
【０００３】
【発明が解決しようとする課題】
ところで、従来のホログラムは、体積位相型ホログラムも含めて、通常、所定の波長の光を所定方向から照射することにより、記録情報を含む光が外に回折され、その回折光が記録情報を再生するように構成されている。
【０００４】
しかし、このような形態のホログラムにおいては、記録情報が容易に再生可能で、そのセキュリティ性はあまり高くなく、また、意匠面から見ても意外性が少なく意匠効果等が低い。
【０００５】
本発明は従来技術のこのような問題点に鑑みてなされたものであり、その目的は、普通の観察状態では記録情報が見えない体積位相型ホログラムを提供することである。
【０００６】
【課題を解決するための手段】
上記目的を達成する本発明の通常状態では記録情報が目視できないホログラムは、体積位相型ホログラムにおいて、ホログラム記録媒体中に記録された干渉縞からの回折光中の少なくとも可視光成分が空気とそのホログラム記録媒体あるいはその表面に積層された透明層との界面で全反射するように、干渉縞の傾きとピッチが設定されていることを特徴とするものである。
【０００７】
この場合、その体積位相型ホログラムが反射型として記録されたフィルム形状をしており、そのフィルム法線に対して干渉縞法線がなす角度をφ、ホログラム記録媒体又は透明層の臨界角をθCRとするとき、
φ＞θCR                                              ・・・（９）
若しくは、
φ＜−θCR                                          ・・・（１０）
の関係を満足することが望ましい。
【０００８】
また、その体積位相型ホログラムが透過型として記録されたフィルム形状をしており、そのフィルム法線に対して干渉縞法線がなす角度をφ、ホログラム記録媒体又は透明層の臨界角をθCRとするとき、
φ＜（π−２θCR）／２                                ・・・（９）’
若しくは、
φ＞（２θCR−π）／２                              ・・・（１０）’
の関係を満足することが望ましい。
【０００９】
また、体積位相型ホログラムがフィルム形状をしており、そのフィルム法線に対して干渉縞法線がなす角度をφ、ホログラム記録媒体又は透明層の臨界角をθCRとするとき、
θCR＜φ＜（π−２θCR）／２                          ・・・（９）”
若しくは、
（２θCR−π）／２＜φ＜−θCR                      ・・・（１０）”
の関係を満足することが望ましい。
【００１０】
また、その体積位相型ホログラムが反射型として記録されたフィルム形状をしており、そのフィルム法線に対して干渉縞法線がなす角度をφ、干渉縞のピッチをｄ、ホログラム記録媒体又は透明層の臨界角をθCRとするとき、
−θCR＜φ＜θCR                                    ・・・（１２）
ｄ＞３５０／｛ｎ×ｃｏｓ（θCR−｜φ｜）｝  （ｎｍ）・・・（１４）
の関係を満足することが望ましい。
【００１１】
また、その体積位相型ホログラムが透過型として記録されたフィルム形状をしており、そのフィルム法線に対して干渉縞法線がなす角度をφ、干渉縞のピッチをｄ、ホログラム記録媒体又は透明層の臨界角をθCRとするとき、
（π−２θCR）／２＜φ＜（２θCR−π）／２          ・・・（１５）
ｄ＜２００／｛ｎ×ｃｏｓ（θCR−｜φ｜）｝  （ｎｍ）・・・（１７）
の関係を満足することが望ましい。
【００１２】
これらの体積位相型ホログラムは、透明液体を入れる容器の内壁面上に設けて使用することもできる。
【００１３】
本発明においては、体積位相型ホログラムにおいて、ホログラム記録媒体中に記録された干渉縞からの回折光中の少なくとも可視光成分が空気とそのホログラム記録媒体あるいはその表面に積層された透明層との界面で全反射するように、干渉縞の傾きが設定されているので、外観からは単なる透明フィルム、保護フィルムとしか見えず、ホログラムであることが分からないため、このホログラムをＣＤカード、プリペイドカード、定期券、通帳、パスポート、身分証明書、商品等に貼り付けておくことにより、それらが偽造されたものであるか否かが確認でき、また、このホログラムをセキュリティ用リップマンホログラムに多重記録しておくことにより、その偽造を防止することができる。また、容器の内壁面に貼り付けておくことにより、意外性を与えて意匠効果を高めることができ、また、玩具としても有効なものとなる。
【００１４】
【発明の実施の形態】
以下、本発明の通常状態では記録情報が目視できないホログラムの原理を説明する。
体積位相型ホログラムは、厚みのあるフォトポリマー等のホログラム記録フィルム中に、情報に応じて変調を受けた物体波面と変調を受けていない参照波面との干渉により形成された干渉縞（回折格子）が屈折率変化として記録されているものであり、マクロに見ると、通常、一定間隔（格子間隔）で平面（１つの干渉縞）が積層された多層膜構造を有している。そのため、このような回折格子による光の回折はブラッグの条件に従う。
【００１５】
そこで、まず、体積位相型ホログラムからの回折光がホログラム記録フィルムの空気界面で全反射してしまい、通常の状態ではフィルム外に出ない条件について検討する。図５（ａ）は回折格子（図では２個しか記載していないが、平行に多数存在する。）が形成されたホログラムの模式的断面図であり、フィルム法線に対して回折格子法線がなす角度をスラント角φとし、回折格子のピッチ（干渉縞間の距離）をｄとする。また、図５（ｂ）に示すように、フィルム法線に対するホログラム感材内部での回折格子への入射角をθI 、回折格子からの回折角をθR とする。なお、フィルム法線に対する角度は、図５（ｃ）に示すように、半時計周りを正、時計周りを負とする。したがって、図５（ａ）のスラント角φは正、図５（ｂ）の入射角θI は負、回折角θR は正となる。また、ホログラム感材の平均屈折率をｎ、ブラッグの条件を満たす波長をλとする。
【００１６】
屈折率ｎの感材と空気の界面での臨界角θCRは、
θCR＝ａｒｃｓｉｎ（ｓｉｎ９０°／ｎ）                ・・・（１）
となる。空気中からこの感材に入射した光線は、感材中ではこの臨界角θCRより小さい角度で屈折される。また、図６に示すように、感材中でこの臨界角θCRより大きい角度の光線は、感材と空気の界面で全反射され、この臨界角θCRより小さい光線は、界面で一部反射され、一部透過（屈折）する。
また、空気中から感材内に入射した光線のとりうる角度範囲は、
−θCR＜θI ＜θCR                                    ・・・（２）
である。
【００１７】
また、ホログラム（回折格子）により回折した光線がフィルムと空気の界面で全反射し空気中に出て行かない角度範囲は、
反射型体積位相型ホログラムの場合には、
θR ＞θCR                                            ・・・（３）
若しくは、
θR ＜−θCR                                          ・・・（４）
透過型体積位相型ホログラムの場合には、
θR ＜π−θCR                                        ・・・（３）’
若しくは、
θR ＞θCR−π                                        ・・・（４）’
となる。
【００１８】
回折格子においてブラッグの条件を満たす回折においては、入射角θI と回折角θR の関係は、図７から、
θR ＝−θI ＋２φ                                    ・・・（５）
となる。（２）式に（５）式を代入することにより、空気よりフィルム内に入射した光線のホログラムによる回折光がとり得る角度範囲が次のように求まる。
【００１９】
−θCR＋２φ＜θR ＜θCR＋２φ                        ・・・（６）
この角度範囲が（３）式、（４）式あるいは（３）’式、（４）’式で表される角度範囲に含まれるとき、回折光はフィルム外部に出てこない。したがって、
反射型体積位相型ホログラムの場合には、
θCR＜−θCR＋２φ                                    ・・・（７）
若しくは、
−θCR＞θCR＋２φ                                    ・・・（８）
透過型体積位相型ホログラムの場合には、
θCR＋２φ＜π−θCR                                  ・・・（７）’
若しくは、
−θCR＋２φ＞θCR−π                                ・・・（８）’
が成り立つようなスラント角φを持つホログラムであれば、そのホログラムの回折光は、通常では観察できない。
【００２０】
（７）式、（８）式あるいは（７）’式、（８）’式を整理すると、
反射型体積位相型ホログラムの場合には、
φ＞θCR                                              ・・・（９）
若しくは、
φ＜−θCR                                          ・・・（１０）
透過型体積位相型ホログラムの場合には、
φ＜（π−２θCR）／２                                ・・・（９）’
若しくは、
φ＞（２θCR−π）／２                              ・・・（１０）’
となる。反射型、透過型何れの体積位相型ホログラムの場合にも、そのホログラムの回折光が通常では観察できないためには、（９）式、（１０）式、（９）’式、（１０）’式をまとめると、
θCR＜φ＜（π−２θCR）／２                          ・・・（９）”
若しくは、
（２θCR−π）／２＜φ＜−θCR                      ・・・（１０）”
のスラント角φを持つホログラムであればよい。
【００２１】
ちなみに、平均屈折率ｎが１．５の場合、回折格子のスラント角φが、
４１．８°＜φ＜４８．２°若しくは−４８．２°＜φ＜−４１．８°
の範囲であれば、そのホログラムの回折光が通常の状態では観察できない。
【００２２】
以上のような通常の状態では観察できないホログラムの観察方法については、プリズム等を用いる方法を後で説明する。
【００２３】
さて、スラント角φが上記（９）式、（１０）式、（９）’式、（１０）’式あるいは（９）”式、（１０）”式の範囲内にない場合は、外部から入射した光の回折光の一部若しくは全部がフィルム外部に出射することになる。その場合、その出射する光の波長が可視域外の光であれば、通常の状態では目視で観察できない。そして、回折格子で回折された可視域の波長の光がフィルムと空気との界面で全反射する角度条件を満たせば、この場合も、後記するプリズム等を用いる方法で、ホログラムに記録されている情報を目視で観察することができる。以下、この場合の条件について説明する。
【００２４】
まず、反射型体積位相型ホログラムの場合について説明する。図８において、空気中右上から入射して回折格子でブラッグ回折を受け、臨界角θCRで左へ回折される光線Ａと、右のフィルム面に沿う方向から入射して臨界角θCRで屈折され、回折格子でブラッグ回折を受けてフィルム中で左へ回折される光線Ｂとを考える。空気中での光線Ａと左のフィルム面に沿う方向との間の角度範囲を▲１▼、空気中での光線Ａと右のフィルム面に沿う方向との間の角度範囲を▲２▼、フィルム中での回折後の光線Ａと光線Ｂの間の角度範囲を▲３▼とする。
【００２５】
ブラッグ回折の性質（フィルム内部において、干渉縞と入射光とがなす角度と、干渉縞と回折光とがなす角度は、同じ角度になる。）から、角度範囲▲１▼で空気中から入射した光は同じ角度範囲▲１▼内に出射する。また、角度範囲▲２▼で空気中から入射した光はフィルム中の角度範囲▲３▼内に回折する。
【００２６】
ところで、回折格子でブラッグ回折する波長と入射角の関係は、回折格子が同じである場合には、回折格子法線と入射光のなす角度が小さい程、回折波長は長波長になる。そのため、角度範囲▲１▼の回折光は角度範囲▲２▼の回折光より長波長であることになる。通常の状態では回折格子に乗っている情報が観察できないためには、角度範囲▲１▼で空気中から入射し同じ角度範囲▲１▼内に出射する光の波長が不可視域の波長であればよく、その中で最も短波長になるのは光線Ａであり、その回折波長が一定波長、具体的には赤外域の最も短い波長７００ｎｍ以上であればよく、その場合、角度範囲▲３▼内に回折される波長は、その一定の波長７００ｎｍ以下になり、可視域の波長である。この角度範囲▲３▼内に回折される可視域の光は臨界角θCR以上であるため、外部には出ないので、後記するプリズム等を用いる方法により目視観察できる。
【００２７】
次に、透過型体積位相型ホログラムの場合について説明する。図９において、空気中右上から入射して回折格子でブラッグ回折を受け、臨界角θCRで左へ回折される光線Ａと、右のフィルム面に沿う方向から入射して臨界角θCRで屈折され、回折格子でブラッグ回折を受けてフィルムを透過する方向に回折される光線Ｂとを考える。空気中での光線Ａと右のフィルム面に沿う方向（光線Ｂ）との間の角度範囲を▲１▼、空気中での光線Ａと左のフィルム面に沿う方向との間の角度範囲を▲２▼とする。
【００２８】
前の同様な考え方から、角度範囲▲１▼で空気中から入射した光はフィルムを透過する方向に回折され、角度範囲▲２▼で空気中から入射した光はフィルム中の図示の角度範囲▲３▼内に回折する。
【００２９】
前記したように、回折格子でブラッグ回折する波長と入射角の関係は、回折格子が同じである場合には、回折格子法線と入射光のなす角度が小さい程、回折波長は長波長になるので、角度範囲▲２▼から入射した光の回折光は角度範囲▲１▼の回折光より長波長であることになる。逆に言えば、角度範囲▲１▼から入射した光の回折光は角度範囲▲２▼の回折光より短波長である。角度範囲▲１▼で空気中から入射してフィルムを透過する光の波長が不可視域の波長であればよく、その中で最も長波長になるのは光線Ａであり、その回折波長が一定波長、具体的には紫外域の最も長い波長４００ｎｍ以下であればよく、その場合、角度範囲▲３▼内に回折される波長は、その一定の波長４００ｎｍ以上になり、可視域の波長である。この角度範囲▲３▼内に回折される可視域の光は臨界角θCR以上であるため、外部には出ないので、後記するプリズム等を用いる方法により目視観察できる。
【００３０】
さて、ブラッグ条件を満たす回折光の回折波長λは、
λ＝２ｄｎ×ｃｏｓ（θR −φ）                      ・・・（１１）
であり、上記の反射型、透過型何れの体積位相型ホログラムの場合も、通常の状態で外部に出る回折波長が、（１１）式を満足する可視域外の波長であればよく、これはスラント角φと回折格子のピッチｄとの関係で条件付けられる（ｎは感材に依存）。
【００３１】
前記の式（９）、（１０）の範囲外、すなわち、
−θCR＜φ＜θCR                                    ・・・（１２）
にある反射型体積位相型ホログラムの場合、図８を用いて考察したように、このホログラムが通常の状態では観察できない条件は、空気中からの光が回折格子でフィルムの臨界角に等しい角度で回折される光線の波長が赤外域にあることである。７００ｎｍ以上の波長の光は通常目では観察できないので、（１１）式より、
２ｄｎ×ｃｏｓ（θCR−｜φ｜）＞７００              ・・・（１３）
したがって、回折格子のピッチｄが以下の条件を満足すればよい。
【００３２】
ｄ＞３５０／｛ｎ×ｃｏｓ（θCR−｜φ｜）｝  （ｎｍ）・・・（１４）
また、前記の式（９）’、（１０）’の範囲外、すなわち、
（π−２θCR）／２＜φ＜（２θCR−π）／２          ・・・（１５）
にある透過型体積位相型ホログラムの場合、図９を用いて考察したように、このホログラムが通常の状態では観察できない条件は、空気中からの光が回折格子でフィルムの臨界角に等しい角度で回折される光線の波長が紫外域にあることである。４００ｎｍ以下の波長の光は通常目では観察できないので、（１１）式より、
２ｄｎ×ｃｏｓ（θCR−｜φ｜）＜４００              ・・・（１６）
したがって、回折格子のピッチｄが以下の条件を満足すればよい。
【００３３】
ｄ＜２００／｛ｎ×ｃｏｓ（θCR−｜φ｜）｝  （ｎｍ）・・・（１７）
なお、以上の議論は、空気中に剥き出しのホログラムが存在するものとしたが、両面あるいは片面に透明保護層が設けられている場合にも同様に当てはまるものである。
【００３４】
さて、以上のような通常状態では観察できないホログラムを目視で観察するには、フィルム内部での全反射を無効にするか、あるいは、フィルム内部に臨界角を越える角度の光線が入るようにすればよい。その実施例を図１、図２に示す。図１は本発明による反射型体積位相型ホログラムの観察方法を、図２は本発明による透過型体積位相型ホログラムの観察方法を示す。
【００３５】
図１（ａ）は再生照明光４を臨界角を越える角度で入射させる場合、図１（ｂ）は回折光５を臨界角を越える角度で出射させる場合であり、何れも保護層２を設けたホログラム１の上に屈折率がホログラム１と略同じプリズム３を密着させる。プリズム３は斜面３１を有し、図１（ａ）の場合は、再生照明光４をこの斜面３１を通してプリズム３内に入れ、ホログラム１の保護層２に密着したプリズム３の底面３３から臨界角を越える角度でホログラム１内に入射させる。その再生照明光４が当たりホログラム１の干渉縞で回折された回折光５はプリズム３の底面３３及びそれに平行な上面３２を経て観察者の目に達し、ホログラム１に記録されている立体像等の情報が目視で観察できる。図１（ｂ）の場合は、再生照明光４をプリズム３の上面３２及びそれに平行な底面３３を通してホログラム１内に入射させ、ホログラム１の干渉縞で臨界角を越える角度で回折された回折光５はプリズム３の底面３３及び斜面３１を経て出射し、ホログラム１に記録されている立体像等の情報が目視で観察できる。
【００３６】
また、図２（ａ）は再生照明光４を臨界角を越える角度で入射させる場合、図２（ｂ）は回折光５を臨界角を越える角度で出射させる場合であり、図１と同様のプリズム３をそれぞれ再生照明光４の側、回折光５の側に密着させる。その作用は、図１の場合と同様であるので、説明は省く。
【００３７】
次に、図１、図２に示したような通常状態では観察できないホログラムの記録方法を説明する。図３（ａ）は図１の反射型体積位相型ホログラムを記録する場合、図３（ｂ）は図２の透過型体積位相型ホログラムを記録する場合である。図３（ａ）においては、ホログラム感材１０の表面に図１と同様なプリズム３を密着させ、その斜面３１及び底面３３を通して記録光▲１▼１１を臨界角を越える角度でホログラム感材１０中に入射させ、同時にホログラム感材１０の裏面から記録光▲２▼１２を入射させて両光をその中で干渉させることにより、図１のホログラム１が記録される。記録光▲１▼１１が参照光、記録光▲２▼１２が物体光の場合には図１（ａ）のホログラム１が、また、記録光▲１▼１１が物体光、記録光▲２▼１２が参照光の場合には図１（ｂ）のホログラム１が記録される。
【００３８】
図３（ｂ）においては、ホログラム感材１０の表面に図１と同様なプリズム３を密着させ、その斜面３１及び底面３３を通して記録光▲１▼１１を臨界角を越える角度でホログラム感材１０中に入射させ、同時にプリズム３の上面３２及び底面３３を通して同じ側から記録光▲２▼１２を入射させて両光をホログラム感材１０中で干渉させることにより、図２のホログラム１が記録される。記録光▲１▼１１が参照光、記録光▲２▼１２が物体光の場合には図２（ａ）のホログラム１が、また、記録光▲１▼１１が物体光、記録光▲２▼１２が参照光の場合には図２（ｂ）のホログラム１が記録される。
【００３９】
また、以上のようにして記録されたホログラム１（図１、図２）から同じホログラムを複製する場合は、図１の反射型ホログラム１の場合、図１（ａ）、（ｂ）の配置で、ホログラム１あるいは保護層２とプリズム３の間に別のホログラム感材を密着して再生照明光４を入射させればよい。なお、図１（ｂ）のホログラム１を複製する場合にプリズム３は必要ないように思えるが、回折光５がホログラム１の上に重畳したホログラム感材内で全反射して不要な干渉縞を形成するので、プリズム３を密着して複製した方が好ましい。
【００４０】
また、図２の透過型ホログラム１の場合は、図２（ａ）、（ｂ）の配置で、ホログラム１の回折光５が出る側に別のホログラム感材を密着して再生照明光４を入射させればよい。この場合も、図２（ｂ）のホログラム１を複製する場合にプリズム３は必要ないように思えるが、図１（ｂ）の場合と同様の理由で、プリズム３を密着して複製した方が好ましい。重畳したホログラム感材の裏面での全反射を防止するために、プリズム３の代わりに光吸収層を設けるようにしてもよい。
【００４１】
以上のような本発明による通常状態では記録情報が目視できないホログラムをＣＤカード、プリペイドカード、定期券、通帳、パスポート、身分証明書、商品等に貼り付けておくことにより、それらが偽造されたものであるか否かが確認できる。このホログラムを偽造しようとしても、外観からは単なる透明フィルム、保護フィルムとしか見えず、それがそのそもホログラムであることが分からないため、偽造され難い。また、本発明のホログラムを他のセキュリティ用のホログラム（リップマンホログラム）に多重記録しておくことにより、そのセキュリティ用ホログラムが偽造されても、本発明のホログラムが多重記録されていることが分かり難いため、偽造品であることが容易に分かる。
【００４２】
また、本発明による通常状態では記録情報が目視できないホログラムは、透明液体を入れるコップ、金魚鉢、壜等の容器の内壁面に貼り付けておくことにより、意外性を与えて意匠効果を高めることができ、また、玩具としても有効なものとなる。すなわち、図４（ａ）に示すように、容器（この場合はコップ）２０の内壁面に本発明によるホログラム１（この図においては反射型としているが、透過型でも同様である。）を貼り付けておく。このホログラム１は外観からは単なる透明フィルムとしか見えないので、コップ２０が空の状態では、何も見えない。図４（ａ）に示すように、その内部に水等の透明液体２１を入れると、内壁面上のホログラム１も水の中に浸され、環境光２２が臨界角を越える角度で入射する状態になるので、回折光５が所定方向に出て記録情報が観察できることになる。そのため、意外性の高いものとなる。なお、容器は必ずしも透明容器である必要はない（透明でない場合は、回折光５が液面から出るように設定する。）。
【００４３】
以上、本発明の通常状態では記録情報が目視できないホログラムの原理、その実施例、記録方法、用途等について説明してきたが、本発明はこれら実施例等に限定されず種々の変形が可能である。
【００４４】
【発明の効果】
以上の説明から明らかなように、本発明の通常状態では記録情報が目視できないホログラムによると、体積位相型ホログラムにおいて、ホログラム記録媒体中に記録された干渉縞からの回折光中の少なくとも可視光成分が空気とそのホログラム記録媒体あるいはその表面に積層された透明層との界面で全反射するように、干渉縞の傾きが設定されているので、外観からは単なる透明フィルム、保護フィルムとしか見えず、ホログラムであることが分からないため、このホログラムをＣＤカード、プリペイドカード、定期券、通帳、パスポート、身分証明書、商品等に貼り付けておくことにより、それらが偽造されたものであるか否かが確認でき、また、このホログラムをセキュリティ用リップマンホログラムに多重記録しておくことにより、その偽造を防止することができる。また、容器の内壁面に貼り付けておくことにより、意外性を与えて意匠効果を高めることができ、また、玩具としても有効なものとなる。
【図面の簡単な説明】
【図１】本発明による反射型体積位相型ホログラムの観察方法を示す図である。
【図２】本発明による透過型体積位相型ホログラムの観察方法を示す図である。
【図３】本発明のホログラムの記録方法を説明するための図である。
【図４】本発明のホログラムをコップ内壁面に貼り付けてた場合の作用を説明するための図である。
【図５】本発明の原理の説明に用いるパラメータの定義をするための図である。
【図６】感材中で光線の角度による界面での反射・透過を説明するための図である。
【図７】回折格子においてブラッグの条件を満たす回折の入射角と回折角の関係を説明するための図である。
【図８】反射型体積位相型ホログラムの入射角に対する回折光の振る舞いを説明するための図である。
【図９】透過型体積位相型ホログラムの入射角に対する回折光の振る舞いを説明するための図である。
【符号の説明】
１…ホログラム（本発明）
２…保護層
３…プリズム
４…再生照明光
５…回折光
１０…ホログラム感材
１１…記録光▲１▼
１２…記録光
２０…コップ
２１…水
２２…環境光
３１…プリズムの斜面
３２…プリズム上面
３３…プリズム底面
【図１】
0003968730.tif 000002
【図２】
0003968730.tif 000003
【図３】
0003968730.tif 000004
【図４】
0003968730.tif 000005
【図５】
0003968730.tif 000006
【図６】
0003968730.tif 000007
【図７】
0003968730.tif 000008
【図８】
0003968730.tif 000009
【図９】
0003968730.tif 000010